(57)【要約】【課題】球体発射玩具自体には手を加えず、発射される球体自体に工夫を施し、従来の発射玩具では想定できない変化に富んだ軌跡を描いて飛び出す球体を提供するとともに、ゲームの難易度を高めることができる球体発射玩具用球体を提供すること。【解決手段】球体発射玩具で発射する以下の要件を備えることを特徴とする球体発射玩具用球体。（イ）上記球体発射玩具用球体Ａは外球部材１と内球部材２との２部材で構成され、内球部材２は外球部材内１に収容されていること（ロ）上記外球部材１は中空で２つの半球体に分割され、分割された２つの半球体は開閉可能に連結されるとともに、付勢部材４で閉じ方向に付勢されていること（ハ）上記外球部材１の一方の半球体１ａと他方の半球体１ｂとの当接面には互いに係合する係合凸部５と係合凹部６とが形成されていること【選択図】図１
0003112866.tif 000002
【実用新案登録請求の範囲】
【請求項１】
球体発射玩具で発射する以下の要件を備えることを特徴とする球体発射玩具用球体。
（イ）上記球体は外球部材と内球部材との２部材で構成され、内球部材は外球部材内に収容されていること
（ロ）上記外球部材は中空で２つの半球体に分割され、２つの半球体は開閉可能に連結されるとともに、付勢部材で閉じ方向に付勢されていること
（ハ）上記外球部材の一方の半球体と他方の半球体との当接面には互いに係合する係合凸部と係合凹部とが形成されていること
【請求項２】
前記外球部材は樹脂製で、内球部材は金属製である、請求項１記載の球体発射玩具用球体。
【考案の詳細な説明】
【技術分野】
【０００１】
本考案は、球体発射玩具用球体、詳しくは発射された後、内球と外球との２つに分離する球体発射玩具用球体に関するものである。
【背景技術】
【０００２】
従来、球体を発射する球体玩具は様々なものが提案され実用に供されているが、単に球体を発射するだけでは面白みに欠けるので、発射する球体に変化した動きを与える球体発射玩具が提案されている（例えば、特許文献１）。この球体発射玩具は発射口に環状部材を回動可能に配置するとともに、この該環状部材には３つの弾き片を前方に突出して等間隔に形成し、１つの弾き片の球体に対する摩擦力を他の弾き片摩擦力より大きくし、発射する際の球体に回転を与え発射後の球体の軌跡を変えることができるようにしたものである。
【特許文献１】登録実用新案第３０４７３０５号公報
【考案の開示】
【考案が解決しようとする課題】
【０００３】
本考案が解決しようとする問題点は、上述の球体発射玩具は、球体は現状のままで球体発射玩具に発射する球体に対し作用して、球体の軌跡が変化するようにしたものであるが、球体には何の手も加えられてはいないため、その変化には限界があった。
【０００４】
本考案は、上記問題点を解決し、球体発射玩具自体には手を加えず、発射される球体自体に工夫を施し、従来の発射玩具では想定できない変化に富んだ軌跡を描いて飛び出す球体を提供するとともに、ゲームの難易度を高めることができる球体発射玩具用球体を提供することを課題とする
【課題を解決するための手段】
【０００５】
前記課題を解決するために本考案に係る球体発射玩具用球体は、球体発射玩具で発射する以下の要件を備えることを特徴とする。
（イ）上記球体は外球部材と内球部材との２部材で構成され、内球部材は外球部材内に収容されていること
（ロ）上記外球部材は中空で２つの半球体に分割され、２つの半球体は開閉可能に連結されるとともに、付勢部材で閉じ方向に付勢されていること
（ハ）上記外球部材の一方の半球体と他方の半球体との当接面には互いに係合する係合凸部と係合凹部とが形成されていること
【０００６】
なお、前記外球部材は樹脂製で、内球部材は金属製であることが好ましい。
【考案の効果】
【０００７】
請求項１の考案によれば、球体を開閉可能に形成された外球部材と、この外球部材の内部に収容した内球部材とで構成したので、球体発射玩具で発射後に外球部材と内球部材とに分離するので、一回の発射で２つの標的を撃つという難易度の高いゲームを楽しむことができる。
【０００８】
しかも、外球部材は当接面に係合凹部とこの係合凹部に係合する係合凸部を形成したので、発射するまでは完全な球体を維持することができる。
【０００９】
請求項２の考案によれば、内球部材を外球部材よりも重い素材で形成することにより、外球部材と内球部材とが分離しやすくなり、より分離が確実に成されるようになる。
【考案を実施するための最良の形態】
【００１０】
図１は本考案に係る球体発射玩具用球体を示し、この球体発射玩具用球体（以下、球体という）Ａは樹脂製の外球部材１の内部に金属製の内球部材２が収容されているもので、公知の球体発射玩具で発射した際、途中で球体Ａが外球部材１と内球部材２とに分離するようになっているものである。
【００１１】
外球部材１は樹脂製（例えば、ＡＢＳ樹脂）で中央から２分割された第１の半球体１ａと第２の半球体１ｂとの２部材で構成され、この２つの半球体１ａ、１ｂは支軸３で開閉可能に連結されるとともに付勢部材であるスプリング４で常に閉じて球体状を維持するようになっているものである。
【００１２】
そして、一方の半球体（第１の半球体１ａ）と他方の半球体（第２の半球体１ｂ）との当接面には互いに係合する係合凸部５と係合凹部６とが形成され、合体した状態では係合凸部５が係合凹部６に係合し、合体時に２つの半球体がずれることなく完全な球体を形成するようになっている。
【００１３】
半球体１ａ、１ｂにはそれぞれ半球状の凹部７、８が形成されている。この凹部７、８は収容時には内部で内球部材２が動かないように内球部材２と同じ径で形成されている。
【００１４】
なお、球体発射玩具は、図３（ａ）に示すように、球体ａを胴体部１０の前面に形成された開口部１１から押し込んで胴体部１０に配置された一対の弾き片１２、１２間に装填し、この弾き片１２、１２の後方に前後にスライド移動可能に配置された押し出し部材１３を、図３（ｂ）に示すように、押し操作することによって弾き片１２、１２を押し広げながら球体ａを押し出し、球体ａの最大径が弾き片１２、１２の先端を通過した瞬間、弾き片１２の弾性復元力で球体ａが開口部１１から前方に発射されるようになっている公知の球体発射玩具で構成されていればよい。
【００１５】
本考案の球体Ａは、、図４（ａ）に示すように、上述の球体ａと同様に球体発射玩具の一対の弾き片１２、１２間に装填し、図４（ｂ）に示すように、押し出し部材１３を押して球体Ａを弾き片１２、１２を外側に押し広げながら前方に押し出す。球体Ａの直径が弾き片１２、１２の先端を通過した瞬間、弾き片が元の形状に復帰する弾性復元力で球体Ａは発射玩具の開口部１１から勢いよく発射される。
【００１６】
球体Ａは内球部材２の重量が外球部材１の重量に比較して大きいので発射された後、途中で重量のある内球部材２が強い慣性力で外球部材１をスプリング４に抗して押し広げ、外球部材１から離反して、内球部材２と外球部材１との２部材に分離してそれぞれ異なる方向に転がって行くことができる。
【００１７】
上述のように、本考案の球体Ａは、外見は１つの球体でありながら発射後に２部材に分離するので、２つの標的２０、２０を同時に狙うことも可能になり、難易度の高いゲームを楽しむことができる。
【図面の簡単な説明】
【００１８】
【図１】（ａ）（ｂ）は本考案に係る球体発射玩具用球体の斜視図
【図２】（ａ）（ｂ）は上記球体発射玩具用球体の正面図及び背面図
【図３】（ａ）（ｂ）は球体発射玩具に従来の球体を装填した状態の斜視図及び球体の発射状態を説明する横断面図
【図４】（ａ）（ｂ）は球体発射玩具に本考案の球体を装填した状態の斜視図及び球体の発射後の状態を説明する平面図
【符号の説明】
【００１９】
１    外球部材
２    内球部材
４    付勢部材（スプリング）
５    係合凸部
６    係合凹部
Ａ    球体発射玩具用球体（球体）
【図１】
0003112866.tif 000003
【図２】
0003112866.tif 000004
【図３】
0003112866.tif 000005
【図４】
0003112866.tif 000006